(57)【要約】【課題】鏡胴ユニット交換の際の利便性に優れる鏡胴ユニット交換方式のカメラシステム及びその制御方法を提供すること。【解決手段】本体ユニットと該本体ユニットに着脱可能な鏡胴ユニットからなる鏡胴ユニット交換式のカメラシステムにおいて、前記本体ユニットは、前記鏡胴ユニットのレンズ設定情報を設定する設定手段と、前記設定手段により設定された前記鏡胴ユニットのレンズ設定情報を当該本体ユニットに記録する記録手段と、を備え、前記設定手段は、鏡胴ユニット交換の際、交換前に前記記録手段により前記本体ユニットに記録された交換前の第一の鏡胴ユニットのレンズ設定情報に応じて、交換後の第二の鏡胴ユニットのレンズ設定情報を設定する自動設定機能を有することを特徴とする。【選択図】図８
2010219710.tif 000002
【特許請求の範囲】
【請求項１】
本体ユニットと該本体ユニットに着脱可能な鏡胴ユニットからなる鏡胴ユニット交換式のカメラシステムにおいて、
前記本体ユニットは、前記鏡胴ユニットのレンズ設定情報を設定する設定手段と、
前記設定手段により設定された前記鏡胴ユニットのレンズ設定情報を当該本体ユニットに記録する記録手段と、
を備え、
前記設定手段は、鏡胴ユニット交換の際、交換前に前記記録手段により前記本体ユニットに記録された交換前の第一の鏡胴ユニットのレンズ設定情報に応じて、交換後の第二の鏡胴ユニットのレンズ設定情報を設定する自動設定機能を有することを特徴とする鏡胴ユニット交換式のカメラシステム。
【請求項２】
前記自動設定機能は、前記第二の鏡胴ユニットに対して、前記本体ユニットに記録された前記第一の鏡胴ユニットのレンズ設定情報と同一なレンズ設定情報を設定することを特徴とする請求項１記載の鏡胴ユニット交換式のカメラシステム。
【請求項３】
前記自動設定機能は、前記第二の鏡胴ユニットに対して、前記本体ユニットに記録された前記第一の鏡胴ユニットのレンズ設定情報と同一なレンズ設定情報を設定することができない場合は、前記第二の鏡胴ユニットに設定可能な範囲で、前記第一の鏡胴ユニットのレンズ設定情報に最も近いレンズ設定情報を前記第二の鏡胴ユニットに対して設定することを特徴とする請求項１又は２記載の鏡胴ユニット交換式のカメラシステム。
【請求項４】
前記第一の鏡胴ユニットが前記本体ユニットから外される所定時間前からの、前記設定手段による前記第一の鏡胴ユニットの設定操作内容を記憶する設定操作内容記憶手段を更に備え、
前記自動設定機能は、前記設定操作内容記憶手段に記憶された前記第一の鏡胴ユニットの設定操作内容及び前記本体ユニットに記録された第一の鏡胴ユニットのレンズ設定情報に応じて、前記第二の鏡胴ユニットのレンズ設定情報を設定することを特徴とする請求項１から３のいずれかに記載の鏡胴ユニット交換式のカメラシステム。
【請求項５】
前記自動設定機能のオン／オフを選択する選択手段を更に備え、
前記選択手段により前記自動設定機能がオンに選択された場合、前記設定手段は前記自動設定機能によって、前記本体ユニットに記録された前記第一の鏡胴ユニットのレンズ設定情報に応じて、前記第二の鏡胴ユニットのレンズ設定情報を設定し、
前記選択手段により前記自動設定機能がオフに選択された場合、前記設定手段は、前記本体ユニット又は前記第二の鏡胴ユニットに予め設定されているデフォルトのレンズ設定情報に基づいて、前記第二の鏡胴ユニットのレンズ設定情報を設定することを特徴とする請求項１から４のいずれかに記載の鏡胴ユニット交換式のカメラシステム。
【請求項６】
本体ユニットと該本体ユニットに着脱可能な鏡胴ユニットからなる鏡胴ユニット交換式のカメラシステムにおいて、
前記本体ユニットは、当該本体ユニットに装着可能な複数の鏡胴ユニットの情報を当該本体ユニットに記憶する記憶手段と、
鏡胴ユニットに関する情報を表示する表示手段と、
当該本体ユニットに記憶された前記複数の鏡胴ユニットの情報に基づいて、前記複数の鏡胴ユニットのうちの少なくとも１つの鏡胴ユニットに関する情報を前記表示手段に送信する情報送信手段と、
を備え、
前記情報送信手段は、前記複数の鏡胴ユニットのうち、少なくとも前記本体ユニットが装着している鏡胴ユニット以外の鏡胴ユニットに関する情報を前記表示手段に送信することを特徴とする鏡胴ユニット交換式のカメラシステム。
【請求項７】
前記情報送信手段は、前記本体ユニットが装着している鏡胴ユニットに関する情報と、それ以外の鏡胴ユニットに関する情報とを、区別可能に送信することを特徴とする請求項６に記載の鏡胴ユニット交換式のカメラシステム。
【請求項８】
前記複数の鏡胴ユニットのうち、いずれの１又は２以上の鏡胴ユニットに関する情報を前記情報送信手段により前記表示手段に送信するかを選択する送信選択手段を備えることを特徴とする請求項６又は７に記載の鏡胴ユニット交換式のカメラシステム。
【請求項９】
前記記憶手段は装着された前記鏡胴ユニットから当該鏡胴ユニットの情報を受信し、受信した情報を前記本体ユニットに記憶することを特徴とする請求項６から８のいずれかに記載の鏡胴ユニット交換式のカメラシステム。
【請求項１０】
前記本体ユニットのファームウェアを更新する際に、前記本体ユニットに記憶された複数の鏡胴ユニットの情報を更新することを特徴とする請求項６から９のいずれかに記載の鏡胴ユニット交換式のカメラシステム。
【請求項１１】
前記本体ユニットは、当該本体ユニットに対する前記鏡胴ユニットの着脱を検出する鏡胴着脱検出手段を備えることを特徴とする請求項１から１０のいずれかに記載の鏡胴ユニット交換式のカメラシステム。
【請求項１２】
本体ユニットと該本体ユニットに着脱可能な鏡胴ユニットからなる鏡胴ユニット交換式のカメラシステムの制御方法において、
前記本体ユニットは、前記鏡胴ユニットのレンズ設定情報を設定する設定工程と、
前記設定工程により設定された前記鏡胴ユニットのレンズ設定情報を当該本体ユニットに記録する記録工程と、
を備え、
前記設定工程は、鏡胴ユニット交換の際、交換前に前記記録工程により前記本体ユニットに記録された交換前の第一の鏡胴ユニットのレンズ設定情報に応じて、交換後の第二の鏡胴ユニットのレンズ設定情報を設定する自動設定ステップを有することを特徴とする鏡胴ユニット交換式のカメラシステムの制御方法。
【請求項１３】
前記自動設定ステップは、前記第二の鏡胴ユニットに対して、前記本体ユニットに記録された前記第一の鏡胴ユニットのレンズ設定情報と同一なレンズ設定情報を設定することを特徴とする請求項１２記載の鏡胴ユニット交換式のカメラシステムの制御方法。
【請求項１４】
前記自動設定ステップは、前記第二の鏡胴ユニットに対して、前記本体ユニットに記録された前記第一の鏡胴ユニットのレンズ設定情報と同一なレンズ設定情報を設定することができない場合は、前記第二の鏡胴ユニットに設定可能な範囲で、前記第一の鏡胴ユニットのレンズ設定情報に最も近いレンズ設定情報を前記第二の鏡胴ユニットに対して設定することを特徴とする請求項１２又は１３記載の鏡胴ユニット交換式のカメラシステムの制御方法。
【請求項１５】
前記第一の鏡胴ユニットが前記本体ユニットから外される所定時間前からの、前記設定工程による前記第一の鏡胴ユニットの設定操作内容を記憶する設定操作内容記憶工程を更に備え、
前記自動設定ステップは、前記設定操作内容記憶工程に記憶された前記第一の鏡胴ユニットの設定操作内容及び前記本体ユニットに記録された第一の鏡胴ユニットのレンズ設定情報に応じて、前記第二の鏡胴ユニットのレンズ設定情報を設定することを特徴とする請求項１２から１４のいずれかに記載の鏡胴ユニット交換式のカメラシステムの制御方法。
【請求項１６】
前記自動設定ステップのオン／オフを選択する選択工程を更に備え、
前記選択工程により前記自動設定ステップがオンに選択された場合、前記設定工程は前記自動設定ステップによって、前記本体ユニットに記録された前記第一の鏡胴ユニットのレンズ設定情報に応じて、前記第二の鏡胴ユニットのレンズ設定情報を設定し、
前記選択工程により前記自動設定ステップがオフに選択された場合、前記設定工程は、前記本体ユニット又は前記第二の鏡胴ユニットに予め設定されているデフォルトのレンズ設定情報に基づいて、前記第二の鏡胴ユニットのレンズ設定情報を設定することを特徴とする請求項１２から１５のいずれかに記載の鏡胴ユニット交換式のカメラシステムの制御方法。
【請求項１７】
本体ユニットと該本体ユニットに着脱可能な鏡胴ユニットからなる鏡胴ユニット交換式のカメラシステムの制御方法において、
前記本体ユニットは、当該本体ユニットに装着可能な複数の鏡胴ユニットの情報を当該本体ユニットに記憶する記憶工程と、
鏡胴ユニットに関する情報を表示する表示工程と、
当該本体ユニットに記憶された前記複数の鏡胴ユニットの情報に基づいて、前記複数の鏡胴ユニットのうちの少なくとも１つの鏡胴ユニットに関する情報を前記表示工程に送信する情報送信工程と、
を備え、
前記情報送信工程は、前記複数の鏡胴ユニットのうち、少なくとも前記本体ユニットが装着している鏡胴ユニット以外の鏡胴ユニットに関する情報を前記表示工程に送信することを特徴とする鏡胴ユニット交換式のカメラシステムの制御方法。
【請求項１８】
前記情報送信工程は、前記本体ユニットが装着している鏡胴ユニットに関する情報と、それ以外の鏡胴ユニットに関する情報とを、区別可能に送信することを特徴とする請求項１７に記載の鏡胴ユニット交換式のカメラシステムの制御方法。
【請求項１９】
前記複数の鏡胴ユニットのうち、いずれの１又は２以上の鏡胴ユニットに関する情報を前記情報送信工程により前記表示工程に送信するかを選択する送信選択工程を備えることを特徴とする請求項１７又は１８に記載の鏡胴ユニット交換式のカメラシステムの制御方法。
【請求項２０】
前記記憶工程は装着された前記鏡胴ユニットから当該鏡胴ユニットの情報を受信し、受信した情報を前記本体ユニットに記憶することを特徴とする請求項１７から１９のいずれかに記載の鏡胴ユニット交換式のカメラシステムの制御方法。
【請求項２１】
前記本体ユニットのファームウェアを更新する際に、前記本体ユニットに記憶された複数の鏡胴ユニットの情報を更新することを特徴とする請求項１７から２０のいずれかに記載の鏡胴ユニット交換式のカメラシステムの制御方法。
【請求項２２】
前記本体ユニットは、当該本体ユニットに対する前記鏡胴ユニットの着脱を検出する鏡胴着脱検出工程を備えることを特徴とする請求項１２から２１のいずれかに記載の鏡胴ユニット交換式のカメラシステムの制御方法。
【発明の詳細な説明】
【技術分野】
【０００１】
本発明は、本体ユニットと該本体ユニットに着脱可能な鏡胴ユニットからなる鏡胴ユニット交換式のカメラシステム、及び該カメラシステムの制御方法に関するものである。
【背景技術】
【０００２】
近年、ＣＣＤイメージセンサ等の撮像素子によって、被写体光をデジタル画像データに光電変換して撮像し、内蔵メモリやメモリカード等の記録媒体に記録するデジタルカメラが広く普及している。このようなデジタルカメラとして、撮像素子を備えたカメラの本体ユニットに対して鏡胴ユニットを着脱可能にすることにより、所望のレンズ特性を有する鏡胴ユニットに簡易な操作で交換できる、所謂一眼レフタイプのものが知られている。
【０００３】
ところが、鏡胴ユニットの着脱を可能にしたデジタルカメラでは、鏡胴ユニットの交換の際に撮像素子が露呈するため、光の入射面やその周辺に塵埃が付着して撮像画像の画質を劣化させてしまうという問題があった。かかる問題に対して、鏡胴ユニットが撮像素子を備える構成にすることで、撮像素子を露呈させずに撮影レンズの交換を行えるようにしたカメラシステムが提案されている（例えば、特許文献１参照。）。このカメラシステムでは、鏡胴ユニットと本体ユニットとをコネクタを介して電気的に接続し、種々の制御信号を互いに送受することによって被写体の撮像を行っている。また、鏡胴ユニットと本体ユニットで通信を行い、最適化を図るカメラシステムが提案されている（例えば、特許文献２参照。）。
【発明の概要】
【発明が解決しようとする課題】
【０００４】
しかしながら、ユーザーは鏡胴ユニットを交換することで交換前の鏡胴ユニットでは実現できないことを交換後の鏡胴ユニットによって実現しようとするが、そのためには、鏡胴ユニット交換の度にレンズ設定を初期から設定しなくてはならず、操作が煩雑なものとなり、利便性の面で劣っていた。また、鏡胴ユニット交換の際に、どの鏡胴ユニットであればユーザーが希望する操作やレンズ設定を実現できるかをユーザーは容易に判断することができず、利便性の面で劣っていた。
【０００５】
本発明は、以上の従来技術における問題に鑑みてなされたものであり、鏡胴ユニット交換の際の利便性に優れる鏡胴ユニット交換方式のカメラシステム及びその制御方法を提供することを目的とする。
【課題を解決するための手段】
【０００６】
本発明者らは鋭意検討を重ねた結果、少なくとも交換時に交換前の鏡胴ユニットのレンズ設定情報を基にして交換後の鏡胴ユニットのレンズ設定情報を設定すること、若しくは、非装着の鏡胴ユニットのレンズ設定情報を表示画面で確認可能とすることで上記課題が解決されることを見出し、本発明を完成するに至った。
【０００７】
即ち、上記課題を解決するために本発明に係る鏡胴ユニット交換方式のカメラシステム及びその制御方法は、具体的には下記（１）〜（２０）に記載の技術的特徴を有する。
（１）：本体ユニットと該本体ユニットに着脱可能な鏡胴ユニットからなる鏡胴ユニット交換式のカメラシステムにおいて、前記本体ユニットは、前記鏡胴ユニットのレンズ設定情報を設定する設定手段と、前記設定手段により設定された前記鏡胴ユニットのレンズ設定情報を当該本体ユニットに記録する記録手段と、を備え、前記設定手段は、鏡胴ユニット交換の際、交換前に前記記録手段により前記本体ユニットに記録された交換前の第一の鏡胴ユニットのレンズ設定情報に応じて、交換後の第二の鏡胴ユニットのレンズ設定情報を設定する自動設定機能を有することを特徴とする鏡胴ユニット交換式のカメラシステムである。
【０００８】
（２）：前記自動設定機能は、前記第二の鏡胴ユニットに対して、前記本体ユニットに記録された前記第一の鏡胴ユニットのレンズ設定情報と同一なレンズ設定情報を設定することを特徴とする上記（１）記載の鏡胴ユニット交換式のカメラシステムである。
【０００９】
（３）：前記自動設定機能は、前記第二の鏡胴ユニットに対して、前記本体ユニットに記録された前記第一の鏡胴ユニットのレンズ設定情報と同一なレンズ設定情報を設定することができない場合は、前記第二の鏡胴ユニットに設定可能な範囲で、前記第一の鏡胴ユニットのレンズ設定情報に最も近いレンズ設定情報を前記第二の鏡胴ユニットに対して設定することを特徴とする上記（１）又は（２）記載の鏡胴ユニット交換式のカメラシステムである。
【００１０】
（４）：前記第一の鏡胴ユニットが前記本体ユニットから外される所定時間前からの、前記設定手段による前記第一の鏡胴ユニットの設定操作内容を記憶する設定操作内容記憶手段を更に備え、前記自動設定機能は、前記設定操作内容記憶手段に記憶された前記第一の鏡胴ユニットの設定操作内容及び前記本体ユニットに記録された第一の鏡胴ユニットのレンズ設定情報に応じて、前記第二の鏡胴ユニットのレンズ設定情報を設定することを特徴とする上記（１）から（３）のいずれかに記載の鏡胴ユニット交換式のカメラシステムである。
【００１１】
（５）：前記自動設定機能のオン／オフを選択する選択手段を更に備え、前記選択手段により前記自動設定機能がオンに選択された場合、前記設定手段は前記自動設定機能によって、前記本体ユニットに記録された前記第一の鏡胴ユニットのレンズ設定情報に応じて、前記第二の鏡胴ユニットのレンズ設定情報を設定し、前記選択手段により前記自動設定機能がオフに選択された場合、前記設定手段は、前記本体ユニット又は前記第二の鏡胴ユニットに予め設定されているデフォルトのレンズ設定情報に基づいて、前記第二の鏡胴ユニットのレンズ設定情報を設定することを特徴とする上記（１）から（４）のいずれかに記載の鏡胴ユニット交換式のカメラシステムである。
【００１２】
（６）：本体ユニットと該本体ユニットに着脱可能な鏡胴ユニットからなる鏡胴ユニット交換式のカメラシステムにおいて、前記本体ユニットは、当該本体ユニットに装着可能な複数の鏡胴ユニットの情報を当該本体ユニットに記憶する記憶手段と、鏡胴ユニットに関する情報を表示する表示手段と、当該本体ユニットに記憶された前記複数の鏡胴ユニットの情報に基づいて、前記複数の鏡胴ユニットのうちの少なくとも１つの鏡胴ユニットに関する情報を前記表示手段に送信する情報送信手段と、を備え、前記情報送信手段は、前記複数の鏡胴ユニットのうち、少なくとも前記本体ユニットが装着している鏡胴ユニット以外の鏡胴ユニットに関する情報を前記表示手段に送信することを特徴とする鏡胴ユニット交換式のカメラシステムである。
【００１３】
（７）：前記情報送信手段は、前記本体ユニットが装着している鏡胴ユニットに関する情報と、それ以外の鏡胴ユニットに関する情報とを、区別可能に送信することを特徴とする上記（６）に記載の鏡胴ユニット交換式のカメラシステムである。
【００１４】
（８）：前記複数の鏡胴ユニットのうち、いずれの１又は２以上の鏡胴ユニットに関する情報を前記情報送信手段により前記表示手段に送信するかを選択する送信選択手段を備えることを特徴とする上記（６）又は（７）に記載の鏡胴ユニット交換式のカメラシステムである。
【００１５】
（９）：前記記憶手段は装着された前記鏡胴ユニットから当該鏡胴ユニットの情報を受信し、受信した情報を前記本体ユニットに記憶することを特徴とする上記（６）から（８）のいずれかに記載の鏡胴ユニット交換式のカメラシステムである。
【００１６】
（１０）：前記本体ユニットのファームウェアを更新する際に、前記本体ユニットに記憶された複数の鏡胴ユニットの情報を更新することを特徴とする上記（６）から（９）のいずれかに記載の鏡胴ユニット交換式のカメラシステムである。
【００１７】
（１１）：前記本体ユニットは、当該本体ユニットに対する前記鏡胴ユニットの着脱を検出する鏡胴着脱検出手段を備えることを特徴とする上記（１）から（１０）のいずれかに記載の鏡胴ユニット交換式のカメラシステムである。
【００１８】
（１２）：本体ユニットと該本体ユニットに着脱可能な鏡胴ユニットからなる鏡胴ユニット交換式のカメラシステムの制御方法において、前記本体ユニットは、前記鏡胴ユニットのレンズ設定情報を設定する設定工程と、前記設定工程により設定された前記鏡胴ユニットのレンズ設定情報を当該本体ユニットに記録する記録工程と、を備え、前記設定工程は、鏡胴ユニット交換の際、交換前に前記記録工程により前記本体ユニットに記録された交換前の第一の鏡胴ユニットのレンズ設定情報に応じて、交換後の第二の鏡胴ユニットのレンズ設定情報を設定する自動設定ステップを有することを特徴とする鏡胴ユニット交換式のカメラシステムの制御方法である。
【００１９】
（１３）：前記自動設定ステップは、前記第二の鏡胴ユニットに対して、前記本体ユニットに記録された前記第一の鏡胴ユニットのレンズ設定情報と同一なレンズ設定情報を設定することを特徴とする上記（１２）記載の鏡胴ユニット交換式のカメラシステムの制御方法である。
【００２０】
（１４）：前記自動設定ステップは、前記第二の鏡胴ユニットに対して、前記本体ユニットに記録された前記第一の鏡胴ユニットのレンズ設定情報と同一なレンズ設定情報を設定することができない場合は、前記第二の鏡胴ユニットに設定可能な範囲で、前記第一の鏡胴ユニットのレンズ設定情報に最も近いレンズ設定情報を前記第二の鏡胴ユニットに対して設定することを特徴とする上記（１２）又は（１３）記載の鏡胴ユニット交換式のカメラシステムの制御方法である。
【００２１】
（１５）：前記第一の鏡胴ユニットが前記本体ユニットから外される所定時間前からの、前記設定工程による前記第一の鏡胴ユニットの設定操作内容を記憶する設定操作内容記憶工程を更に備え、前記自動設定ステップは、前記設定操作内容記憶工程に記憶された前記第一の鏡胴ユニットの設定操作内容及び前記本体ユニットに記録された第一の鏡胴ユニットのレンズ設定情報に応じて、前記第二の鏡胴ユニットのレンズ設定情報を設定することを特徴とする上記（１２）から（１４）のいずれかに記載の鏡胴ユニット交換式のカメラシステムの制御方法である。
【００２２】
（１６）：前記自動設定ステップのオン／オフを選択する選択工程を更に備え、前記選択工程により前記自動設定ステップがオンに選択された場合、前記設定工程は前記自動設定ステップによって、前記本体ユニットに記録された前記第一の鏡胴ユニットのレンズ設定情報に応じて、前記第二の鏡胴ユニットのレンズ設定情報を設定し、前記選択工程により前記自動設定ステップがオフに選択された場合、前記設定工程は、前記本体ユニット又は前記第二の鏡胴ユニットに予め設定されているデフォルトのレンズ設定情報に基づいて、前記第二の鏡胴ユニットのレンズ設定情報を設定することを特徴とする上記（１２）から（１５）のいずれかに記載の鏡胴ユニット交換式のカメラシステムの制御方法である。
【００２３】
（１７）：本体ユニットと該本体ユニットに着脱可能な鏡胴ユニットからなる鏡胴ユニット交換式のカメラシステムの制御方法において、前記本体ユニットは、当該本体ユニットに装着可能な複数の鏡胴ユニットの情報を当該本体ユニットに記憶する記憶工程と、鏡胴ユニットに関する情報を表示する表示工程と、当該本体ユニットに記憶された前記複数の鏡胴ユニットの情報に基づいて、前記複数の鏡胴ユニットのうちの少なくとも１つの鏡胴ユニットに関する情報を前記表示工程に送信する情報送信工程と、を備え、前記情報送信工程は、前記複数の鏡胴ユニットのうち、少なくとも前記本体ユニットが装着している鏡胴ユニット以外の鏡胴ユニットに関する情報を前記表示工程に送信することを特徴とする鏡胴ユニット交換式のカメラシステムの制御方法である。
【００２４】
（１８）：前記情報送信工程は、前記本体ユニットが装着している鏡胴ユニットに関する情報と、それ以外の鏡胴ユニットに関する情報とを、区別可能に送信することを特徴とする上記（１７）に記載の鏡胴ユニット交換式のカメラシステムの制御方法である。
【００２５】
（１９）：前記複数の鏡胴ユニットのうち、いずれの１又は２以上の鏡胴ユニットに関する情報を前記情報送信工程により前記表示工程に送信するかを選択する送信選択工程を備えることを特徴とする上記（１７）又は（１８）に記載の鏡胴ユニット交換式のカメラシステムの制御方法である。
【００２６】
（２０）：前記記憶工程は装着された前記鏡胴ユニットから当該鏡胴ユニットの情報を受信し、受信した情報を前記本体ユニットに記憶することを特徴とする上記（１７）から（１９）のいずれかに記載の鏡胴ユニット交換式のカメラシステムの制御方法である。
【００２７】
（２１）：前記本体ユニットのファームウェアを更新する際に、前記本体ユニットに記憶された複数の鏡胴ユニットの情報を更新することを特徴とする上記（１７）から（２０）のいずれかに記載の鏡胴ユニット交換式のカメラシステムの制御方法である。
【００２８】
（２２）：前記本体ユニットは、当該本体ユニットに対する前記鏡胴ユニットの着脱を検出する鏡胴着脱検出工程を備えることを特徴とする上記（１２）から（２１）のいずれかに記載の鏡胴ユニット交換式のカメラシステムの制御方法である。
【発明の効果】
【００２９】
本発明によれば、利便性に優れる鏡胴ユニット交換方式のカメラシステム及びその制御方法を提供することができる。
【図面の簡単な説明】
【００３０】
【図１】本発明に係るカメラシステムの実施の形態の構成例を示す外観斜視図である。
【図２】本発明に係るカメラシステムを構成する鏡胴ユニットと本体ユニットの例を示す機能ブロック図である。
【図３】上記鏡胴ユニットの別の例を示す機能ブロック図である。
【図４】上記鏡胴ユニットの別の例を示す機能ブロック図である。
【図５】上記カメラシステムにおける処理分担決定処理の例を示すフローチャートである。
【図６】上記カメラシステムにおけるモニタリング動作の処理の流れの例を示すフローチャートである。
【図７】上記カメラシステムにおける撮像動作の処理の流れの例を示すフローチャートである。
【図８】上記カメラシステムのメニューを表示している表示画面の例を示す図である。
【図９】上記カメラシステムにおける鏡胴ユニット交換の動作の流れの例を示すフローチャートである。
【図１０】鏡胴ユニットＬ１装着時の表示画面（撮影画面）である。
【図１１】鏡胴ユニットＬ１装着時であって鏡胴ユニットＬ２の能力を併せて表示した場合の表示画面（撮影画面）である。
【図１２】鏡胴ユニットＬ２装着時であって鏡胴ユニットＬ１の能力を併せて表示した場合の表示画面（撮影画面）である。
【図１３】上記カメラシステムの設定内容の第１の例を示す図である。
【図１４】５倍ズームの鏡胴ユニットにおける焦点距離２８ｍｍ〜１３６ｍｍの間を等間隔で分けた位置（ズーム位置１〜１０）を示す説明図である。
【図１５】３倍ズームの鏡胴ユニットにおける焦点距離３５ｍｍ〜１０７ｍｍの間を等間隔で分けた位置（ズーム位置１〜１０）を示す説明図である。
【図１６】上記カメラシステムの設定内容の第２の例を示す図である。
【図１７】上記カメラシステムの設定内容の第３の例を示す図である。
【図１８】上記カメラシステムの設定内容の第４の例を示す図である。
【発明を実施するための形態】
【００３１】
以下、本発明に係る鏡胴ユニット交換方式のカメラシステム及びその制御方法について図を用いて詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００３２】
図１は本発明に係る鏡胴ユニット交換方式のカメラシステムの実施の形態の構成例を示す外観図である。図１においてカメラシステム３は、本体ユニット２と、本体ユニット２に着脱可能な鏡胴ユニット１からなる。カメラシステム３は、鏡胴ユニット１（以下、レンズユニットとも称する。）と本体ユニット２が一体となってカメラシステム（撮像装置）としての機能を発揮する。鏡胴ユニット１は種々のタイプの中から利用者が適宜選択して本体ユニット２に装着するものであって、例えば、単焦点レンズの鏡胴ユニット１１（図１（ａ））や、光学ズームを搭載した鏡胴ユニット１２（図１（ｂ））などがある。
【００３３】
次に、本実施の形態のカメラシステムの機能構成について図２、図３及び図４を用いて説明する。図２は、本発明に係るカメラシステム３を構成する鏡胴ユニット１と本体ユニット２の機能ブロックを示す図である。図２において、レンズユニット１００（鏡胴ユニットの機能ブロックを示す）は、フォーカスレンズを備えたレンズ群１０７と、レンズ群１０７を介して受光した被写体像を光信号から電気信号に変換して出力する撮像素子１０８と、撮像素子１０８から出力される信号（アナログ画像データ）をデジタル画像データに変換して信号増幅をするＡＦＥ（アナログフロントエンド）１０９と、変換されたデジタル画像データに対してＹＵＶデータへの変換処理、ＪＰＥＧ形式の圧縮処理、ＲＡＷデータの生成処理などの所定の画像処理を行ういわゆる画像エンジンであるＣＰＵ１０３と、を有している。尚、本実施の形態では鏡胴ユニット１が撮像素子１０８を備える構成をとるが、本発明はこれに限られるものではなく、本体ユニット２が備える構成であっても良い。
【００３４】
また、レンズユニット１００は、本体ユニット２００と電気的に接続するユニット間インターフェースを構成するジョイントコネクター１１６と、このジョイントコネクター１１６を介して画像データを本体ユニット２００に送信するための双方向バス１２３、制御信号１２１、シリアルインターフェース信号１２２、ＳＤＩＯ信号１２４、をそれぞれ授受する信号ラインを有している。
【００３５】
また、レンズユニット１００は、レンズ群１０７の鏡筒の繰り出しと収納に用いるモーター１１０を制御するモータードライバー１１１を有している。このモータードライバー１１１は、本体ユニット２００から受信した制御信号１２１によって制御される。この機構によって、交換レンズの種類によってはカメラシステム３の電源を切ったときに鏡筒を収納し、また、図示しないボタンの押下によって変倍動作をするなどの種々の動作制御を行うことができる。
【００３６】
また、レンズユニット１００は、本体ユニット２００から供給される電力１２０からレンズユニット１００の動作に必要な各種電力を生成させるＤＣ−ＤＣコンバータ１０１と、本体ユニット２００から供給された電力１２０を検知して、このＤＣ−ＤＣコンバータを制御するサブマイコン１０２と、レンズユニット１００の外部に装着可能なテレコンバータレンズ及びワイドコンバータレンズを検出する検出回路１１３を備えている。
【００３７】
また、レンズユニット１００は、カメラシステム３の傾きを検出するジャイロセンサ１０６と、カメラシステム３に加わる加速度を検出する加速度センサ１１２と、ジャイロセンサ１０６が検出した傾き及び加速度センサ１１２が検出した加速度によって、レンズ群１０７を駆動するコイル１０５と、コイル１０５の駆動量を検出するホール素子１０４を備えている。これら、ジャイロセンサ１０６、加速度センサ１１２、コイル１０５、ホール素子１０４によって手ぶれの防止機能を発揮することができる。
【００３８】
また、レンズユニット１００は、画像処理及び動作制御処理を行うソフトウェアがフラッシュロム（Ｆｌａｓｈ  ＲＯＭ）１１４に記憶されており、このソフトウェアによる処理をワークエリアであるＲＡＭ１１５を使用してＣＰＵ１０３が各機構の動作及び処理の制御を行うように構成されている。
【００３９】
図２において、本体ユニット２００（本体ユニットの機能ブロックを示す）は、レンズユニット１００と電気的に接続するユニット間インターフェースを構成するジョイントコネクター２０１と、このジョイントコネクター２０１を介してレンズユニット１００から受信する画像データをいわゆる画像エンジンであるＣＰＵ２０８に転送する双方向バス２２３と、双方向バス２２３を介して受信した画像データに対して、ＹＵＶデータへの変換処理、ＪＰＥＧ形式の圧縮処理、ＪＰＥＧ形式からの展開処理、ＲＡＷデータの生成処理などを適宜行ういわゆる画像エンジンであるＣＰＵ２０８と、レンズユニット１００の制御信号１２１のラインに接続する制御信号２２１のラインと、レンズユニット１００のシリアルインターフェース信号１２２のラインに接続するシリアルインターフェース信号２２２のラインと、レンズユニット１００のＳＤＩＯ信号１２４のラインと接続するＳＤＩＯ信号２２４のラインを備えている。
【００４０】
また、本体ユニット２００は、所定の押下操作などによって当該カメラシステム３の撮影動作を開始するスイッチであるフォーカス＆レリーズスイッチ２１１と、本体ユニット２００において設定するカメラシステム３の動作モードなどの選択設定に用いる十字キーなどで構成されるスイッチ２０６と、スイッチ２０６の入力を検知して所定の設定処理などを行い、かつ、リチウムイオンバッテリー２０４からの供給される電力をＤＣ−ＤＣコンバータ２０３を用いて電源制御し、また、レンズユニット１００へ電力を供給するためのスイッチである電源スイッチ２０２も制御するサブマイコン２０５を備えている。
【００４１】
また、本体ユニット２００は、画像処理及び動作制御処理を行うソフトウェアが記憶されたフラッシュロム２１９を備えており、このソフトウェアによる処理をワークエリアであるＲＡＭ２２０を使用してＣＰＵ２０８が各機構の動作及び処理の制御を行うように構成されている。
【００４２】
また、本体ユニット２００は、音声コーディック２１６と、この音声コーディック２１６に音声信号を入力するマイク２１８と、音声コーディック２１６から音を出力するスピーカ２１７と、ＵＳＢインターフェースコネクタ２１４と、ＡＶ出力用コネクタ２１３、ＨＤＭＩ信号の出力インターフェース２１２と、撮像された画像ファイルを保存する着脱可能な記録媒体であるＳＤメモリ２１５と、本体ユニット２００に外部ストロボを装着するときの接続回路を兼ねているストロボ２０７と、スイッチ２１１の操作によってフォーカシング動作時に被写体像をモニタリング表示させ、撮影動作をしたときには撮影した画像データを表示する表示手段であるＬＣＤ２１０及びＥＶＦ２０９を備えている。
【００４３】
図３は、本発明に係るカメラシステムを構成する鏡胴ユニット１の別の例を示す機能ブロック図である。図３においてレンズユニット３００は、図２に示したレンズユニット１００とほぼ同じ構成を有している。異なる構成はレンズ群３０７にズームレンズを備えることで、これを移動させるためのズーム用モーター３１０を有することである。レンズユニット２００は、図示しない本体ユニット２００が備えるズームスイッチの操作によって、レンズ群３０７に備えられたフォーカスレンズとズームレンズに所定の動作をさせるように構成されている。
【００４４】
図４は、本発明に係るカメラシステムを構成する鏡胴ユニット１のさらに別の例を示す機能ブロック図である。図４においてレンズユニット４００は、図２に示したレンズユニット１００とほぼ同じ構成を有している、異なる構成は大型の撮像素子４０８を備えることで、手ぶれ防止動作を行う前記ホール素子１０４、コイル１０５、ジャイロセンサ１０６に相当する構成を省いた点である。
【００４５】
上記構成を備えたカメラシステム３によれば、動作モードの設定と、画像記録サイズや画像記録形式の設定によって、レンズユニット１００の双方向バス１２３と、本体ユニット２００の双方向バス２２３のバス幅の設定変更をすることができる。これによって、送受信されるデータ量に応じてバス幅を随時変更出来る構成を備えている。また、本実施の形態のカメラシステム３によれば、上記の撮影モード設定によって変化するレンズユニット１００と本体ユニット２００との間で送受信されるデータ量に応じて画像データ（撮像データ）に対する複数の画像処理を分散させ、レンズユニット１００と本体ユニット２００の画像処理の分担範囲を変更することができ、それぞれの画像処理がどの段階にあるかにかかわらず処理途中の画像データについて、随時必要に応じてデータの授受ができるようになる。なお、レンズユニット１００と本体ユニット２００の間で行われるデータ通信の方式は、ＤＭＡ転送やパケット転送などの種々の転送方式から適宜選択すればよい。
【００４６】
また、本実施の形態のカメラシステムはレンズユニット１００、３００、４００のいずれを用いても、上記の処理を行うことができる。よって以下の説明においては特に明記しない場合はレンズユニット１００を用いた例を説明する。カメラシステム１の動作は、レンズユニット１００のフラッシュロム１１４及び本体ユニット２００のフラッシュロム２１９に記憶されているソフトウェアによって制御される。図５は、カメラシステム３の電源が投入されたのちに行なわれる画像処理機能の分担設定を制御するソフトウェアの処理の流れを示すフローチャートである。
【００４７】
図５において各処理ステップはＳ１、Ｓ２・・・のように表記する。まず、カメラシステム３の電源スイッチ２０２に対して所定の操作がされることによって、動作電源が投入される。電源スイッチ２０２の所定の操作とは、電源スイッチを長押しする、または、電源スイッチをスライドさせるなどの操作である。
【００４８】
カメラシステム３において動作電源が投入されたとき、本体ユニット２００が備えるＳＷ２０６（図２）によって予め設定されている動作モードを判定する処理が行われる（Ｓ１）。設定されている動作モードが、記録している画像ファイルを表示手段に表示する「再生モード」であれば（Ｓ１）、「機能分担３」をレンズユニット１００及び本体ユニット２００に設定する処理が行われる（Ｓ５）。
【００４９】
動作モードが、被写体像を撮像した画像ファイルを記録する「撮影モード」であれば（Ｓ１）、本体ユニット２００が備えるレリーズＳＷ２１１（図２）の状態を判定する処理が行なわれる（Ｓ２）。レリーズＳＷ２１１がモニタリング状態（例えば、ＳＷ２１１が浅く押下された状態）であれば、「機能分担１」がレンズユニット１００及び本体ユニット２００に設定される（Ｓ３）。
レリーズＳＷ２１１が撮影状態（例えば、ＳＷ２１１が深く押下された状態）であれば、「機能分担２」がレンズユニット１００及び本体ユニット２００に設定される（Ｓ４）。
【００５０】
ここで「機能分担がレンズユニット１００及び本体ユニット２００に設定される」とは、本実施の形態のカメラシステムを用いて行う撮影処理と再生処理において、撮像データに対して行う複数の画像処理（画像処理の範囲）のうち、レンズユニット１００側で行う画像処理と、本体ユニット２００側で行う画像処理を、それぞれに設定する処理をいう。言い換えれば、撮像データに対して行う複数の画像処理の分担範囲をレンズユニット１００と本体ユニット２００に設定する処理である。従って機能分担１乃至３において、レンズユニット１００と本体ユニット２００が行う画像処理の分担範囲は異なるものとなる。
【００５１】
《機能分担１》
「機能分担１」とは、レンズユニット１００において、レンズ群１０７等を介して撮像素子によって受光処理をされた被写体像がアナログ電気信号に変換され、これをデジタルデータに変換するＡ／Ｄ変換処理、デジタルデータをＹＵＶデータに変換するＹＵＶ変換処理、ＹＵＶデータを本体ユニット２００が備えるＬＣＤ２１０において表示するために適切なサイズへの変換と毎秒概ね１５から３０画像に間引きするＶＧＡサイズ間引き処理、間引き処理されたＹＵＶデータを圧縮するＪＰＥＧ圧縮処理、圧縮されたＪＰＥＧデータを本体ユニット２００に所定の時間間隔をもって送信する定期送信処理を行うように設定する処理である。
また、「機能分担１」とは、本体ユニット２００において、レンズユニット１００から送られてきたＪＰＥＧデータを所定の時間間隔をもって受信する定期受信処理、受信したＪＰＥＧデータを伸張してＹＵＶデータに変換する受信データ伸張処理、ＹＵＶデータをＬＣＤ２１０に出力する処理を行うように設定する処理である。
【００５２】
図６は、機能分担１が設定されたレンズユニット１００と本体ユニット２００における処理の流れを示す図である。レンズユニット１００と本体ユニット２００を接続するユニット間インターフェース（Ｉ／Ｆ）５００は、図２乃至図４における符号１１６、３１６、４１６、２０１で示される通信インターフェースである。
【００５３】
機能分担１が設定されたレンズユニット１００は、所定のモニタリング操作が行われると、レンズユニット１００が備えるレンズ群１０７を介して撮像素子が捉えた被写体像に相当する電気信号を撮像素子１０８から出力し（Ｓ１０）、この電気信号をデジタルデータに変換して、ＲＡＷデータを生成する（Ｓ１１）。次に、このＲＡＷデータに対して本体ユニット２００が備えるＬＣＤ２１０への表示に適した画像サイズへの変換と、ＹＵＶ変換処理が行われ（Ｓ１２）、これによって得られたＹＵＶデータがＪＰＥＧ形式で圧縮変換され（Ｓ１３）、本体ユニット２００に送信される（Ｓ１４）。
【００５４】
本体ユニット２００は、ユニット間Ｉ／Ｆ５００を介してレンズユニット１００からＪＰＥＧデータが送信されてくると、これを受信する処理を行い（Ｓ２０）、受信されたＪＰＥＧデータを展開してＹＵＶデータに変換する処理を行う（Ｓ２１）。このＹＵＶデータをＬＣＤ２１０（図２）などの表示手段に出力することにより（Ｓ２２）、被写体画像のモニタリングを行うことができるようになる。
【００５５】
このように、モニタリング処理時において設定される機能分担１は、ユニット間Ｉ／Ｆ５００を介して通信される画像データの形式が圧縮されたＪＰＥＧ形式であるため、データ通信量を低く抑えることができる。
【００５６】
《機能分担２》
「機能分担２」とは、レンズユニット１００において、レンズ群１０７等を介して撮像素子によって受光処理された被写体像がアナログ電気信号に変換され、これをデジタルデータに変換するＡ／Ｄ変換処理、デジタルデータをＲＡＷデータとしてそのまま出力する処理、ＲＡＷデータを本体ユニット２００に送信する処理を行うように設定する処理である。
また、「機能分担２」とは、本体ユニット２００において、レンズユニット１００から送られてきたＲＡＷデータを受信する受信処理、ＲＡＷデータをＹＵＶデータに変換するＹＵＶ変換処理、ＹＵＶデータを予め指定されている保存サイズに変換する指定保存サイズ設定処理、指定保存サイズに変換されたＹＵＶデータをＪＰＥＧデータに変換するＪＰＥＧ圧縮処理、ＪＰＥＧデータに所定のヘッダ情報などを付加してＪＰＥＧファイルを生成し、これをＳＤメモリ２１５やＲＡＭ２２０などの画像ファイルを記憶する記録回路へ送信する処理を行うように設定する処理である。
機能分担２を設定する処理において、予め本体ユニット２００にて設定される画像ファイルの保存形式が「ＲＡＷ形式」であるならば、本体ユニット２００は受信したＲＡＷデータをＳＤメモリ２１４やＲＡＭ２２０などの画像ファイルを記憶するための記録回路へ送信する処理を行うように設定し、ＹＵＶ変換処理やＪＰＥＧ圧縮処理は行わないように設定することもできる。
【００５７】
次に、機能分担２におけるデータの流れの例を説明する。図７は、機能分担２が設定されたレンズユニット１００と本体ユニット２００において静止画撮影時の処理の流れを示す図である。機能分担２が設定されたレンズユニット１００において、所定の撮像操作が行われるとレンズユニット１００が備えるレンズ群１０７を介して撮像素子が捉えた被写体像に相当する電気信号が撮像素子１０８から出力される（Ｓ１０）。この電気信号がデジタルデータに変換されてＲＡＷデータが生成され（Ｓ１１）、このＲＡＷデータが本体ユニット２００に送信される（Ｓ１４）。
【００５８】
本体ユニット２００は、ユニット間Ｉ／Ｆ５００を介してレンズユニット１００からＲＡＷデータが送信されてくると、これを受信する処理を行い（Ｓ２０）、受信されたＲＡＷデータにメタデータなどを含むヘッダ情報を付加してＲＡＷ画像ファイルを生成する（２４）。生成されたＲＡＷ画像ファイルは、記憶手段に送られて所定の記録媒体に保存される（Ｓ２６）。
また、本体ユニット２００において、ＲＡＷ形式と共にＪＰＥＧ形式の画像ファイルを保存する設定がされているならば、受信されたＲＡＷデータをＹＵＶデータに変換する処理が行われ（Ｓ２３）、このＹＵＶデータをＪＰＥＧ形式に変換し、所定のヘッダ情報を付加してＪＰＥＧ画像ファイルを生成する（Ｓ２５）。生成されたＪＰＥＧ画像ファイルは、記録手段に送られて所定の記録媒体に保存される（Ｓ２６）。
【００５９】
このような処理を行うことにより、本体ユニット２００において、予め保存する画像ファイルの形式を複数指定することで、それに応じた画像ファイルの保存処理を行うことができるようになる。
【００６０】
《機能分担３》
「機能分担３」とは、レンズユニット１００に対する処理分担の設定は行わず、本体ユニット２００において、ＳＤメモリ２１５などに保存されている画像ファイルを読み出す処理、読み出した画像ファイルを表示可能なＹＵＶデータに変換する変換処理、変換されたＹＵＶデータをＬＣＤ２１０などの表示手段に出力可能となるようにリサイズする処理を行うように設定する処理である。
機能分担３においては、読み出された画像ファイルの形式がＪＰＥＧ形式、ＲＡＷ形式のいずれかによって、ＹＵＶデータに変換する処理が異なるが、これを適宜選択して行うように設定される。
尚、本実施の形態では以上説明した機能分担をした上で撮像動作等を行うが、本発明に係るカメラシステムはこれに何ら限定されるものではなく、従来公知の撮像動作を適用したカメラシステムであっても良い。
【００６１】
《鏡胴ユニット交換動作》
次に、本発明の特徴となる鏡胴ユニット交換時の動作について説明する。
図８にＬＣＤに表示されたメニューの一例を示す。このメニューには、ダイヤル操作や釦（スイッチ２０６等）操作で入力可能な項目の一例が図示されていて、設定メニューには能力表示設定、能力参照、鏡胴交換などがある。能力表示設定とは、各々の鏡胴ユニットに対して非装着の状態であっても当該各々の鏡胴ユニットの能力の表示を有効にするか無効にするかの設定を行う選択肢である（送信選択手段）。また、能力参照は、既知の鏡胴ユニットの能力を一覧表示する項目である。さらに、鏡胴交換は、鏡胴を交換する際に選択するものである。
【００６２】
この設定メニューにより入力してカメラシステムを所望の設定とすることができる。また、入力された各設定に応じた鏡胴ユニット交換の際の動作を、図９に従って以下に説明する。また、ここでは鏡胴ユニットＬ１から鏡胴ユニットＬ２に交換する例を挙げて説明する。尚、鏡胴ユニットＬ１は２４ｍｍ〜７２ｍｍの焦点距離、ＩＳＯ１００、２００、４００、８００、１６００、３２００の設定があり、鏡胴ユニットＬ２は２８ｍｍ〜２００ｍｍの焦点距離、ＩＳＯ１００、２００、４００、８００、１６００の設定がある。
【００６３】
電源釦（電源スイッチ２０２）の所定の操作によりＯＮの状態になると（Ｓ１１）、本体ユニットと装着されている鏡胴ユニットＬ１との間で能力交換が行われる（Ｓ１２）。
能力交換においては、鏡胴ユニットＬ１から本体ユニットに少なくとも、製品型番、ズーム情報、フォーカス情報、絞り情報、画素数、設定可能ＩＳＯ感度が送信される。一方、本体ユニットから鏡胴ユニットＬ１には、少なくとも、製品型番、ストロボ情報が送信される。
尚、このとき本体ユニットが有する鏡胴着脱検出手段により、鏡胴ユニットＬ１が装着状態であるか否かが検出され、装着状態が検出されている場合においてのみ能力交換（Ｓ１２）が行われる。
【００６４】
次いで、本体ユニットにおいて鏡胴ユニットＬ１を判定し（Ｓ１３）、未知のものであれば当該鏡胴ユニットの能力（情報）を本体ユニットが有する記憶手段により記録媒体であるＲＡＭ２２０等に登録し（Ｓ１４）、既知のものであれば登録を行わない。しかる後に、装着中の鏡胴ユニット（レンズ）情報を表示手段であるＬＣＤに、情報送信手段を用いて記憶されている能力（情報）を送信し、当該能力を表示する（Ｓ１５）。このとき、本体ユニットが鏡胴ユニットＬ２を装着したことがない場合、ＬＣＤには図１０に示すように装着中の鏡胴ユニットＬ１の能力のみが表示される。また、本体ユニットが鏡胴ユニットＬ２を装着したことがある場合であっても、上述の能力表示設定で鏡胴ユニットＬ２の表示を無効にすることが選択されている場合、ＬＣＤには図１０に示すように装着中の鏡胴ユニットＬ１の能力のみが表示される。
ここで、図１０に示すズームバーの下側がＷｉｄｅで上側がＴｅｌｅである。
【００６５】
一方、本体ユニットが鏡胴ユニットＬ２を装着したことがある場合であって、上述の能力表示設定で鏡胴ユニットＬ２の表示を有効にすることが選択されている場合、ＬＣＤには図１１に示すように装着中の鏡胴ユニットＬ１の能力に加えて、非装着の鏡胴ユニットＬ２の能力が装着中の鏡胴ユニットの能力の背後に表示される（Ｓ１６）。この能力の表示の際には、前記情報送信手段により非装着の鏡胴ユニットの能力が表示手段であるＬＣＤに、装着中の鏡胴ユニットと非装着の鏡胴ユニットとが区別可能に（例えば前面・背後の関係で）送信される。
【００６６】
図１１に示すように、鏡胴ユニットＬ２の焦点距離のほうが鏡胴ユニットＬ１よりも長いので、鏡胴ユニットＬ１のズームバーは短く表示されている。
また同様に、能力表示設定で表示を有効にすることが選択されている鏡胴ユニット（装着中の鏡胴ユニットは除く。）が鏡胴ユニットＬ２以外にもある場合、その鏡胴ユニットの能力を装着中の鏡胴ユニットの能力の背後に表示する。
ここで、ＬＣＤに表示されるズームバーには、表示される各鏡胴ユニットに対応する製品名等を併せて表示することが好ましい。
【００６７】
さらに、鏡胴着脱検出手段によって鏡胴ユニットＬ１の装着が検出されている状態においては、設定手段により焦点距離やＩＳＯ等がユーザーの所望の状態となるようにレンズ設定情報が設定される。尚、設定はユーザーがスイッチ２０６等を操作することで所望のものとすることができる。
このときのレンズ設定情報は、記録手段によって呼び出し可能な状態で本体ユニットに記録される。
【００６８】
そして、ユーザーがメニューにより鏡胴交換を選択した場合（Ｓ１７）、さらに”継承”か”標準”を選択する（Ｓ１８；自動設定機能のオン／オフを選択する選択手段）。
継承が選択された場合（Ｓ１９）には、鏡胴ユニットＬ１の交換前のズーム、フォーカス設定を引き継いで設定され、標準が選択された場合（Ｓ２０）には、デフォルトの標準設定で設定される。
【００６９】
メニューにより継承が選択された場合（Ｓ１９）についてより詳細に説明する。
先ず鏡胴ユニットＬ１が本体ユニットから取り外された後、鏡胴ユニットＬ２が当該本体ユニットに装着される（Ｓ１９−１）。さらに、起動（電源ＯＮ）時と同様に、能力交換（Ｓ１９−２）、レンズの判定（Ｓ１９−３）、能力の登録（Ｓ１９−４）、装着中の鏡胴ユニットＬ２の能力表示（Ｓ１９−５）、装着中の鏡胴ユニットＬ２及びそれ以外の鏡胴ユニットの能力表示（Ｓ１９−６）が行われる。
しかる後に、鏡胴ユニットＬ１の交換前のズーム位置及びフォーカス位置に移動可能か否か（レンズ設定情報に設定可能か否か）を判定する（Ｓ１９−７）。
【００７０】
この判定の結果、移動可能であれば、鏡胴ユニットＬ２のズーム位置及びフォーカス位置を、鏡胴ユニットＬ１の交換前のズーム位置及びフォーカス位置に設定手段の自動設定機能をもって移動させる（Ｓ１９−８）。即ち、交換前の鏡胴ユニットＬ１のレンズ設定情報を設定手段の自動設定機能をもって鏡胴ユニットＬ２に設定する。
一方、判定の結果、移動不可能であれば、鏡胴ユニットＬ２のズーム位置及びフォーカス位置を、鏡胴ユニットＬ１の交換前のズーム位置及びフォーカス位置に最も近い位置に設定手段の自動設定機能をもって移動させる（Ｓ１９−９）。例えば、鏡胴ユニットＬ２においてＴｅｌｅ端に設定してある状態から、継承を選択して鏡胴ユニットＬ１に交換すると、鏡胴ユニットＬ１では引き継ぐことができないので、一番近い画角である鏡胴ユニットＬ１のＴｅｌｅ端に自動で設定される。即ち、交換前の鏡胴ユニットＬ１のレンズ設定情報に最も近いレンズ設定情報（但し、鏡胴ユニットＬ２に設定可能な範囲で）を、設定手段の自動設定機能をもって鏡胴ユニットＬ２に設定する。
【００７１】
さらに、メニューにより標準が選択された場合（Ｓ２０）についてより詳細に説明する。
先ず鏡胴ユニットＬ１が本体ユニットから取り外された後、鏡胴ユニットＬ２が当該本体ユニットに装着される（Ｓ２０−１）。さらに、起動（電源ＯＮ）時と同様に、能力交換（Ｓ２０−２）、レンズの判定（Ｓ２０−３）、能力の登録（Ｓ２０−４）、装着中の鏡胴ユニットＬ２の能力表示（Ｓ２０−５）、装着中の鏡胴ユニットＬ２及びそれ以外の鏡胴ユニットの能力表示（Ｓ２０−６）が行われる。
しかる後に、鏡胴ユニットＬ２に対してデフォルトの標準設定（デフォルトのレンズ設定情報）で設定され、例えばズーム位置は最もワイド側、フォーカスは１．２ｍまたはこれに近い位置に焦点が合うようなズーム位置及びフォーカス位置が設定される（Ｓ２０−７）。
【００７２】
以上の一連の動作により鏡胴ユニットの交換が完了する。この交換後のＬＣＤでは、図１２に示すように装着中の鏡胴ユニットＬ２の能力が、取り外された既知の鏡胴ユニットＬ１の能力の前面に表示されている。
尚、ズーム及びフォーカスを例に挙げて説明したが、本発明はこれらに限定されるものではなく、例えば同様にしてＦ値やＩＳＯ感度において既知の非装着の鏡胴ユニットの能力をＬＣＤに併せて表示することで、装着中の鏡胴ユニットの能力と対比することが可能となり、鏡胴ユニット交換の際の利便性が向上する。さらに、装着中の鏡胴ユニットの設定を引き継ぐことができるため、電源を切らずに鏡胴ユニットを交換した場合は同等もしくは一番近い状態に自動で設定することができる。
【００７３】
また、以上の例では鏡胴ユニットの装着によって鏡胴ユニットの能力が追加登録されるが、本発明はこれに限られるものではなく、例えば本体ユニットのファームウェアアップデートによって鏡胴ユニットの能力が追加登録もしくは更新等がなされても良く、ファームウェアアップデートの時点での発売済みの鏡銅ユニットの能力を記憶することができる。
【００７４】
《鏡胴ユニット交換動作のその他の実施の形態》
鏡胴ユニット交換動作のその他の実施の形態を以下に示す。尚、ここでは上述した交換動作との相違点である継承・標準選択（Ｓ１８）以降の動作についてのみ説明する。
鏡胴ユニット交換の所定の時間の前からの設定手段による交換前の装着中の鏡胴ユニットＬ１に対する設定操作内容を記憶する設定内容記憶手段により、例えば１分（所定の時間に相当）前にレンズ設定が設定可能限界まで変更されたことが記憶されている。その後（記憶のタイミングから１分後）に交換された鏡胴ユニットにおいて前記設定可能限界を超えて設定が可能である場合、当該交換された鏡胴ユニットは、交換前の設定を引き継がずに前記設定可能限界を超えた設定とする。
具体的には、鏡胴ユニット交換前において設定可能な最大ズームに変更された後、１分以内に、より望遠の設定が可能な鏡胴ユニットに変更された場合には、交換後の鏡胴ユニットは、直前のズーム倍率を継承して設定されるのではなく、もう一段階ズームした倍率に設定される。
尚、ズームについての設定を例に挙げて説明したが、言うまでもなく本発明はズームについての設定のみに限定されるものではない。
【００７５】
《撮影に関するユーザーの各種設定を記憶する機能》
また、本発明に係るカメラシステムは、撮影に関するユーザーの各種設定を記憶する機能を有する形態であっても良い。以下、撮影に関するユーザーの各種設定を記憶する機能について説明する。
本体ユニットは複数の鏡胴ユニットを着脱可能であり、例えば、５倍ズームの鏡胴ユニットと、３倍ズームの鏡胴ユニットとを着脱可能であり、ここでは５倍ズームの鏡胴ユニットが本体ユニットに接続されている。
このとき、ユーザーが撮影に関する各種設定を本体ユニットに記憶させるときには、操作Ｋｅｙ（スイッチ２０６等）を操作してストロボ、画質サイズ、ＩＳＯ感度、露出補正、ズームを設定する。この設定を本体ユニットの内蔵メモリ（ＲＡＭ２２０等）に記憶する。記憶する設定は１つに限られるものではなく、複数の設定を記憶可能とすること好ましい。
【００７６】
そして、この設定を呼び出すことで煩雑な操作を要さずに所望の設定で撮影することができる。例えば、モードダイヤルをまわすことにより内蔵メモリに記憶されている設定を呼び出し、各種設定が読み出されてカメラシステムに各撮影モードを設定できる。設定内容は、例えば図１３に示すようなものが挙げられる。
但し、記憶されている各種設定が鏡胴ユニットの設定可能範囲の中にない場合、例えば記憶時には５倍ズームの鏡胴ユニットにおいて４倍の倍率が記憶され、鏡胴ユニットの交換により３倍ズームの鏡胴ユニットが装着されているような場合、ズーム位置は、ワイド端（１倍）へ設定される。もしくは、鏡胴ユニット種類が違う場合（鏡胴ユニットの交換が行われた場合）は、ズーム設定を行わなくても良い。
【００７７】
また、ズーム位置は上述したような倍率で定めても良く、各鏡胴ユニットのそれぞれにおいて、焦点距離を等間隔で分けた位置を割り当てたものをズーム位置と定めても良い。
例えば、図１４に示すように５倍ズームの鏡胴ユニットにおける焦点距離２８ｍｍ〜１３６ｍｍの間を等間隔で分けた位置をそれぞれズーム位置１〜１０に割り当てている。また、３倍ズームの場合は、図１５に示すように鏡胴ユニットにおける焦点距離３５ｍｍ〜１０７ｍｍの間を等間隔で分けた位置をそれぞれズーム位置１〜１０に割り当てている。設定の際にはズーム位置１〜１０のいずれかの値を記憶して、これを呼び出してズーム設定を行う。このときの設定内容は、例えば図１６に示すようなものが挙げられる。
【００７８】
以上説明した撮影に関するユーザーの各種設定を記憶する機能を実現する構成としては、以下の構成例が挙げられる。
〔構成例１〕
被写体像を撮像して画像データとして出力する撮像手段と、前記画像データを画像ファイルとして記録する記録手段と、撮像装置（カメラシステム、以下において同様。）の撮影に関するユーザーの各種設定を記憶する手段と記憶したユーザー設定を呼び出し撮像装置へ設定する手段とを有する撮像光学系（鏡胴ユニット、以下において同様。）を交換可能な撮像装置において、撮影に関するユーザーの各種設定のうちのズーム位置を記憶するとき、撮像光学系の種類も記憶し、記憶したユーザー設定を呼び出し、撮像装置へ設定するとき、現在ついている撮像光学系が、記憶してある撮像光学系と同じときは、ズーム位置を記憶した位置へ移動することを特徴とする撮像装置。
【００７９】
〔構成例２〕
被写体像を撮像して画像データとして出力する撮像手段と、前記画像データを画像ファイルとして記録する記録手段と、撮像装置の撮影に関するユーザーの各種設定を記憶する手段と記憶したユーザー設定を呼び出し撮像装置へ設定する手段とを有する撮像光学系を交換可能な撮像装置において、撮影に関するユーザーの各種設定のうちのズーム位置を記憶するとき、撮像光学系の種類も記憶し、記憶したユーザー設定を呼び出し、撮像装置へ設定するとき、現在ついている撮像光学系が、記憶してある撮像光学系と違うときは、ズーム位置の設定は行わないことを特徴とする撮像装置。
【００８０】
〔構成例３〕
被写体像を撮像して画像データとして出力する撮像手段と、前記画像データを画像ファイルとして記録する記録手段と、撮像装置の撮影に関するユーザーの各種設定を記憶する手段と記憶したユーザー設定を呼び出し撮像装置へ設定する手段とを有する撮像光学系を交換可能な撮像装置において、撮影に関するユーザーの各種設定のうちのズーム位置を記憶するとき、撮像光学系の種類も記憶し、記憶したユーザー設定を呼び出し、撮像装置へ設定するとき、現在ついている撮像光学系が、記憶してある撮像光学系と違うときは、ズーム位置をワイド端にすることを特徴とする撮像装置。
【００８１】
構成例１〜３の特徴を有することで、撮像装置の撮影に関するユーザーの各種設定を記憶することができ、これらの記憶したユーザー設定全てを呼び出し撮像装置へ設定することがき、撮像光学系を交換可能な撮像装置で、各種設定を記憶するとき、撮像光学系の種類も記憶することができるので、記憶したユーザー設定を呼び出して、撮像装置へ設定するとき、撮像光学系が記憶したときと同じ撮像光学系なら記憶したズーム位置へ移動し、撮像光学系が記憶したときと違う撮像光学系ならズーム位置を移動しない、または、ワイド端へ移動するため、ユーザーが使いやすい。
【００８２】
〔構成例４〕
被写体像を撮像して画像データとして出力する撮像手段と、前記画像データを画像ファイルとして記録する記録手段と、撮像装置の撮影に関するユーザーの各種設定を記憶する手段と記憶したユーザー設定を呼び出し撮像装置へ設定する手段とを有する撮像光学系を交換可能な撮像装置において、撮影に関するユーザーの各種設定のうちのズーム位置を記憶するとき、ズームレンズのワイド端からテレ端までの倍率を等間隔に分けた位置を記憶し、記憶したユーザー設定を呼び出し、撮像装置へ設定するとき、倍率の違う撮像光学系が装着されている場合でも、ズームレンズのワイド端からテレ端までの倍率を等間隔に分けた位置へ設定することを特徴とする撮像装置。
【００８３】
構成例４の特徴を有することで、撮像装置の撮影に関するユーザーの各種設定を記憶することができ、これらの記憶したユーザー設定全てを呼び出し撮像装置へ設定することがき、撮像光学系を交換可能な撮像装置で、各種設定を記憶するとき、ズーム位置の記憶をズームのワイド端からテレ端の比で記憶し、設定するときは、この比で設定するので、撮像光学系を交換されても、ズーム位置を設定でき、ユーザーが使いやすい。
【００８４】
《撮影に関するユーザーの各種設定を記憶する機能のその他の形態》
さらに、撮影に関するユーザーの各種設定を記憶する機能のその他の形態について説明する。
例えば、５倍ズームの鏡胴ユニットが本体ユニットに装着されている状態で、図１７に示される設定が内蔵メモリに記憶されていて、この設定を呼び出し、各種設定が読み出されてカメラシステムに各撮影モードを設定する。このとき、ズーム位置は、接続されている鏡胴ユニットが５倍であるため、記憶値が３５ｍｍの位置にズーム位置設定可能なので、ズーム位置は３５ｍｍに設定される。また、３倍ズームの鏡胴ユニットが本体ユニットに装着されている場合、同様に３５ｍｍの位置にズーム位置設定可能なので、ズーム位置は、３５ｍｍに設定される。
【００８５】
次に、図１８に示される設定が内蔵メモリに記憶されていて、この設定を呼び出し、各種設定が読み出されてカメラシステムに各撮影モードを設定する場合、即ち、ズーム位置が１３６ｍｍの場合を考える。
このときは、５倍ズームの鏡胴ユニットが本体ユニットに装着されている状態では１３６ｍｍの位置にズーム位置設定可能であるが、３倍ズームの鏡胴ユニットが本体ユニットに装着されている状態では１３６ｍｍの位置にズーム位置設定ができないので、ズーム位置を動かさない。もしくは、３倍ズームの鏡胴ユニットが本体ユニットに装着されている状態では鏡胴ユニットのワイド端３５ｍｍへ移動する。
【００８６】
以上説明した撮影に関するユーザーの各種設定を記憶する機能のその他の実施の形態を実現する構成としては、以下の構成例が挙げられる。
〔構成例５〕
被写体像を撮像して画像データとして出力する撮像手段と、前記画像データを画像ファイルとして記録する記録手段と、撮像装置の撮影に関するユーザーの各種設定を記憶する手段と記憶したユーザー設定を呼び出し撮像装置へ設定する手段とを有する撮像光学系を交換可能な撮像装置において、撮影に関するユーザーの各種設定のうちのズーム位置を記憶するとき、画角を記憶し、記憶したユーザー設定を呼び出し、撮像装置へ設定するとき、ズーム位置を記憶した画角へ移動することを特徴とする撮像装置。
【００８７】
〔構成例６〕
被写体像を撮像して画像データとして出力する撮像手段と、前記画像データを画像ファイルとして記録する記録手段と、撮像装置の撮影に関するユーザーの各種設定を記憶する手段と記憶したユーザー設定を呼び出し撮像装置へ設定する手段とを有する撮像光学系を交換可能な撮像装置において、撮影に関するユーザーの各種設定のうちのズーム位置を記憶するとき、画角を記憶し、記憶したユーザー設定を呼び出し、撮像装置へ設定するとき、ズーム位置を記憶した画角がない場合は、移動しないことを特徴とする撮像装置。
【００８８】
〔構成例７〕
被写体像を撮像して画像データとして出力する撮像手段と、前記画像データを画像ファイルとして記録する記録手段と、撮像装置の撮影に関するユーザーの各種設定を記憶する手段と記憶したユーザー設定を呼び出し撮像装置へ設定する手段とを有する撮像光学系を交換可能な撮像装置において、撮影に関するユーザーの各種設定のうちのズーム位置を記憶するとき、画角を記憶し、記憶したユーザー設定を呼び出し、撮像装置へ設定するとき、ズーム位置を記憶した画角がない場合は、ワイド端へ移動することを特徴とする撮像装置。
【００８９】
構成例５〜７の特徴を有することで、撮像装置の撮影に関するユーザーの各種設定を記憶することができ、これらの記憶したユーザー設定全てを呼び出し撮像装置へ設定することがき、撮像光学系を交換可能な撮像装置で、各種設定を記憶するとき、ズームの画角を記憶し記憶したユーザー設定を呼び出して、撮像装置へ設定するとき、記憶時と違う鏡胴が接続されていても、記憶している画角へズーム位置を設定するので、記憶時と違う鏡胴が接続されても、同じ画角で使いやすい。
【符号の説明】
【００９０】
１  鏡胴ユニット
２  本体ユニット
３  カメラシステム
５００  ユニット間インターフェース
【先行技術文献】
【特許文献】
【００９１】
【特許文献１】特許第３６０２５８７号
【特許文献２】特許第２７９９７１５号
【図１】
2010219710.tif 000003
【図２】
2010219710.tif 000004
【図３】
2010219710.tif 000005
【図４】
2010219710.tif 000006
【図５】
2010219710.tif 000007
【図６】
2010219710.tif 000008
【図７】
2010219710.tif 000009
【図９】
2010219710.tif 000010
【図１３】
2010219710.tif 000011
【図１４】
2010219710.tif 000012
【図１５】
2010219710.tif 000013
【図１６】
2010219710.tif 000014
【図１７】
2010219710.tif 000015
【図１８】
2010219710.tif 000016
【図８】
2010219710.tif 000017
【図１０】
2010219710.tif 000018
【図１１】
2010219710.tif 000019
【図１２】
2010219710.tif 000020